(57)【要約】【課題】クランプ装置の保守点検等の作業を容易かつ短時間に行うことができる工作機械を提供する。【解決手段】ワークＷをクランプするクランプ装置１７の取付枠１６の上面の点検用開口部にプレート２１を開閉可能に配設する。そのプレート２１にはワークＷに向かってクーラントを噴射するためのクーラント噴射部２４を支持する。取付枠１６上には油圧・空圧機器等の諸部品２７を支持する。クランプ装置１７の保守点検等を行う場合には、プレート２１を開放位置に回動させて、クランプ装置１７の上方を開放させる。【選択図】      図１
2004314254.tif 000002
【特許請求の範囲】
【請求項１】
ワークをクランプするクランプ装置を跨ぐように設けられた取付枠の上面に、プレートを水平位置と垂直位置との間を開閉可能に配設するとともに、取付枠にはプレートを水平位置で保持するための保持手段を設け、前記プレートにはワークに向けてクーラントを噴射するためのクーラント噴射部を設けたことを特徴とする工作機械。
【請求項２】
前記プレートには透視窓を設けたことを特徴とする請求項１に記載の工作機械。
【請求項３】
前記クーラント噴射部に接続される供給ホースは可撓性を有するものであることを特徴とする請求項１または請求項２に記載の工作機械。
【発明の詳細な説明】
【０００１】
【発明の属する技術分野】
この発明は、ワークを加工位置においてクランプするためのクランプ装置を備えた工作機械に関するものである。
【０００２】
【従来の技術】
従来のこの種の工作機械としては、例えば特許文献１に開示されるような構成のものが提案されている。この従来構成においては、前述のクランプ装置を取り囲むように四角枠状の取付枠が設けられ、その取付枠の側面にはワークを搬入搬出させるための開口部及びクランプ装置に対して工具を進入退出させるための開口部が形成されている。取付枠の上板部には、クランプ装置に組み込まれた複数のシリンダを動作させるための油圧・空圧機器、その動作状態を検出するための検出装置、及び加工中にワークに対してクーラントを噴射するためのクーラント噴射部等が密集状態で支持されている。そして、油圧・空圧機器には配管が接続されるとともに、クーラント噴射部にはクーラント供給配管が接続され、検出装置には電気配線が接続されている。
【０００３】
【特許文献１】
特開２０００−１０７９６５号公報
【０００４】
【発明が解決しようとする課題】
以上のように、この従来の工作機械においては、クランプ装置には多数の油圧機器とか空圧機器を必要とし、クランプ装置の周囲にはワークの搬入、搬出のための開口部が設けられている。また、一方ではクランプ装置の上方が取付枠の上板部により覆われ、その上板部には加工のための主軸の通過と干渉しないように、油圧・空圧機器、検出装置等の多数の部品が支持されている。
【０００５】
そして、クランプ装置の保守点検やその周辺の清掃等を行う場合、クランプ装置の周囲の開放部だけでは不十分であって、クランプ装置の上方を開放する必要がある。この場合、油圧・空圧機器等の諸部品に対する配線や配管を取り外すとともに、取付枠の上板部から油圧・空圧機器等の諸部品を順に取り外してクランプ装置の上方を開放していた。よって、クランプ装置の保守点検等の作業が面倒で時間がかかるという問題があった。
【０００６】
この発明は、このような従来の技術に存在する問題点に着目してなされたものである。その目的は、クランプ装置の保守点検等の作業を容易かつ短時間に行うことができる工作機械を提供することにある。
【０００７】
【課題を解決するための手段】
上記の目的を達成するために、請求項１に記載の発明は、ワークをクランプするクランプ装置を跨ぐように設けられた取付枠の上面に、プレートを水平位置と垂直位置との間を開閉可能に配設するとともに、取付枠にはプレートを水平位置で保持するための保持手段を設け、前記プレートにはワークに向けてクーラントを噴射するためのクーラント噴射部を設けたことを特徴とするものである。
【０００８】
従って、クランプ装置の保守点検や周辺の清掃等を行う場合、プレートを水平位置から上方の位置へ回動させる必要がある。この場合、請求項１の発明においては、油圧・空圧機器等の他の諸部品をプレートではなく取付枠に支持したため、油圧・空圧機器等の諸部品を取り外すことなく、プレートを開放位置に移動させるのみの簡単な操作により、クランプ装置の上方を開放させることができる。よって、クランプ装置の保守点検等の作業を容易かつ短時間に行うことができる。
【０００９】
請求項２に記載の発明は、請求項１に記載の発明において、前記プレートには透視窓を設けたことを特徴とするものである。
従って、この請求項２に記載の発明によれば、クランプ装置にクランプされたワークの加工中に、透視窓からワークの加工状況等を容易に確認することができる。
【００１０】
請求項３に記載の発明は、請求項１または請求項２に記載の発明において、前記クーラント噴射部に接続される供給ホースは可撓性を有するものであることを特徴とするものである。
【００１１】
従って、この請求項３に記載の発明によれば、供給ホースが自在に変形できるため、クーラント噴射部に供給ホースを接続したままの状態で、プレートを支障なく開閉操作することができる。
【００１２】
【発明の実施の形態】
以下に、この発明の一実施形態を、図面に基づいて説明する。
図１及び図２に示すように、工作機械のベッド１１上にはサドル１２がＸ方向及びＹ方向へ移動可能に配設され、そのサドル１２には主軸台１３がＺ方向へ移動可能に支持されている。主軸台１３には主軸１４が回転可能に支持され、その主軸１４の先端にはドリル等の工具１５が装着されている。
【００１３】
前記ベッド１１上には取付枠１６が配設され、その取付枠１６内にはワークＷをクランプするためのクランプ装置１７が傾動可能に取り付けられている。そして、このクランプ装置１７にワークＷがクランプされた状態で、工具１５が回転されながらＸ方向に移動されて、ワークＷ上の所定の加工位置に穿孔等の加工が施されるようになっている。
【００１４】
前記取付枠１６は、左右一対の支柱部１６ａと、両支柱部１６ａの上端間に架設された横桟部１６ｂと、両支柱部１６ａの上端から水平方向前方に突設された一対のアーム部１６ｃとから構成されている。これにより、取付枠１６の両側面にはクランプ装置１７に対してワークＷを搬入搬出させるためのワーク用開口部１８が形成されるとともに、取付枠１６の背面には前記工具１５を進入退出させるための工具用開口部１９が形成されている。また、取付枠１６の上面の一対のアーム部１６ｃ間には、クランプ装置１７の保守点検等を行うための点検用開口部２０が形成されている。さらに、取付枠１６の前方（図１の左方）の開口部を覆うように開閉可能なカバー３５が配置されている。
【００１５】
前記取付枠１６の横桟部１６ｂには鉄板等よりなるプレート２１が一対の蝶番２２を介して水平位置とその上方の起立位置との間において上下方向に開閉回動可能に取り付けられ、その上面両側には一対のハンドル２３が突設されている。このプレート２１は、水平位置において前記アーム部１６ｃにより保持される。従って、アーム部１６ｃは、保持手段を構成する。そして、図１及び図２に示すように、このハンドル２３により、プレート２１を取付枠１６のアーム部１６ｃ上で倒伏する閉鎖位置に回動させたときには、取付枠１６の上面の点検用開口部２０が閉鎖される。また、図３に示すように、プレート２１を取付枠１６の横桟部１６ｂの上方に起立する開放位置に回動させたときには、点検用開口部２０が開放されるようになっている。
【００１６】
前記プレート２１の内面には、複数の噴射孔２４ａを有する一対のクーラント噴射部２４が支持されている。取付枠１６の横桟部１６ｂの一側上面にはクーラント供給部２５が突設され、可撓性を有する一対の供給ホース２６を介して各クーラント噴射部２４に接続されている。そして、前記ワークＷの加工中に、各クーラント噴射部２４の噴射孔２４ａからワークＷに向かってクーラントが噴射されるようになっている。
【００１７】
前記取付枠１６の横桟部１６ｂ上には、クランプ装置１７に組み込まれている複数のシリンダ１７ａを動作させるための油圧・空圧機器、その動作状態を検出するための検出装置等の諸部品２７が支持されている。取付枠１６の一方の支柱部１６ａの上部には支持アーム２８が突設され、その支持アーム２８の先端には操作パネル２９が取り付けられている。
【００１８】
前記プレート２１には一対の透視窓３０が形成され、ガラス板等の透明板がはめ込まれている。そして、図１及び図２に示すように、プレート２１を閉鎖位置に回動配置した状態で、クランプ装置１７にクランプされたワークＷを加工しているとき、これらの透視窓３０を介してワークＷの加工状況等を目視確認できるようになっている。
【００１９】
前記クーラント供給部２５の上端には、一対の挿通孔３１ａを有する正面形ほぼＵ字状の保持金具３１が突設されている。この保持金具３１と係合可能に対応するように、プレート２１の上面には挿通孔３２ａを有する係止金具３２が突設されている。そして、図３に示すように、プレート２１を開放位置に回動させたとき、この係止金具３２が保持金具３１に係合される。この状態で、両金具３１，３２の挿通孔３１ａ，３２ａに係止ピン３３を挿通することにより、プレート２１が開放位置に係止保持されるようになっている。
【００２０】
次に、前記のように構成された工作機械の作用を説明する。
さて、この工作機械の加工運転時には、図１及び図２に示すように、プレート２１が取付枠１６のアーム部１６ｃ上に保持される水平な閉鎖位置に回動配置され、取付枠１６の上面の点検用開口部２０が閉鎖されている。この状態で、クランプ装置１７にワークＷをクランプすれば、工具１５が回転されながらワークＷに向かって接近移動されることにより、ワークＷに穿孔等の加工が施される。そして、このワークＷの加工時には、クーラント噴射部２４の噴射孔２４ａからワークＷ上にクーラントが噴射供給される。また、このワークＷの加工中には、プレート２１に一対の透視窓３０が設けられているため、必要に応じてこれらの透視窓３０からワークＷの加工状況等を目視確認することができる。
【００２１】
このように、ワークＷの加工が終了した後、クランプ装置１７を保守点検したり、その周辺を清掃したりする場合には、一対のハンドル２３に手を掛けて、図３に示すように、プレート２１を閉鎖位置から上方の起立位置である開放位置に回動させる。すると、取付枠１６の上面の点検用開口部２０が開放され、その点検用開口部２０を介してクランプ装置１７が上方に露出される。このとき、プレート２１に支持された各クーラント噴射部２４から延びる供給ホース２６が可撓性材料で形成されているため、それらの供給ホース２６が接続状態のままで撓曲されながら、プレート２１を開放位置へ容易に回動させることができる。
【００２２】
そして、図３に示すように、プレート２１が開放位置に回動配置されたとき、プレート２１上の係止金具３２が取付枠１６上の保持金具３１に係合される。よって、これらの金具３１，３２の挿通孔３１ａ，３２ａに係止ピン３３を挿通すれば、プレート２１が開放位置に係止保持される。そして、この状態で取付枠１６の上面の点検用開口部２０を介して、クランプ装置１７の保守点検や周辺の清掃等の作業を容易に行うことができる。
【００２３】
従って、この実施形態によれば、以下のような効果を得ることができる。
（１）  この工作機械においては、ワークＷをクランプするクランプ装置１７の取付枠１６の上面の点検用開口部２０にプレート２１が開閉回動可能に配設されている。そのプレート２１にはワークＷに向かってクーラントを噴射するためのクーラント噴射部２４が支持されている。油圧・空圧機器等の他の諸部品２７が取付枠１６上に支持されている。
【００２４】
このため、クランプ装置１７の保守点検や周辺の清掃等を行う場合には、油圧・空圧機器等の諸部品２７を取り外すことなく、プレート２１を開放位置に回動させるのみの簡単な操作により、クランプ装置１７の上方を開放させることができる。よって、クランプ装置１７の保守点検等の作業を容易かつ短時間に行うことができる。
【００２５】
（２）  この工作機械においては、前記プレート２１に透視窓３０が設けられている。このため、プレート２１が閉鎖状態にあっても、クランプ装置１７にクランプされたワークＷの加工中に、透視窓３０からワークＷの加工状況等を容易に確認することができる。
【００２６】
（３）  この工作機械においては、前記クーラント噴射部２４に接続される供給ホース２６が可撓性を有する。このため、クーラント噴射部２４に供給ホース２６を接続したままの状態で、その供給ホース２６を取り外すことなくプレート２１を支障なく開閉操作することができる。
【００２７】
（変更例）
なお、この実施形態は、次のように変更して具体化することも可能である。
・  前記実施形態において、プレート２１を蝶番２２により取付枠１６の一方のアーム部１６ｃに開閉回動可能に取り付けて、プレート２１を一側上方の開放位置に回動させるように構成すること。
【００２８】
・  前記実施形態において、供給ホース２６を可撓性のない通常のホースで形成し、クーラント供給部２５に対する供給ホース２６の接続ナットを緩めた状態で、プレート２１を閉鎖位置と開放位置との間で回動させるように構成すること。
【００２９】
・  前記取付枠１６の支柱部１６ａに、クランプ装置１７に組み込まれている複数のシリンダ１７ａを動作させるための油圧・空圧機器、その動作状態を検出するための検出装置等の諸部品２７を支持すること。
【００３０】
（他の技術的思想）
以下に、請求項に記載された技術的思想以外に前記実施形態から把握される技術的思想について述べる。
【００３１】
（１）  保持手段が取付枠に形成された水平なアームである請求項１〜３のいずれか一項に記載の工作機械。
（２）  透視窓には透明板がはめ込まれている請求項１〜３のいずれかに記載の工作機械。
【００３２】
【発明の効果】
以上、実施形態で例示したように、この発明においては、油圧・空圧機器等の諸部品を取り外すことなくクランプ装置の上方を開放させることができて、クランプ装置の保守点検等の作業を容易かつ短時間に行うことができる。
【図面の簡単な説明】
【図１】一実施形態の工作機械を示す側面図。
【図２】図１の工作機械の要部拡大斜視図。
【図３】図２の工作機械のプレートを開放した状態を示す要部斜視図。
【符号の説明】
１５…工具、１６…取付枠、１６ａ…保持手段としてのアーム部、１７…クランプ装置、２０…点検用開口部、２１…プレート、２４…クーラント噴射部、２６…供給ホース、２７…油圧・空圧機器等の諸部品、３０…透視窓、Ｗ…ワーク。
【図１】
2004314254.tif 000003
【図２】
2004314254.tif 000004
【図３】
2004314254.tif 000005